【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】
複数の監視カメラと映像を映し出す映像装置とが接続されるカメラコントロール装置において、ドアホンとインターホン室内機とから構成されるインターホンシステムを接続して、前記ドアホンから前記インターホン室内機への呼出時に、前記ドアホンからの呼出信号を検出して、前記複数の監視カメラのうちから少なくとも１つの監視カメラを選択して、選択された監視カメラの映像信号を前記映像装置に出力することを特徴とするカメラコントロール装置。
【請求項２】
前記ドアホンと前記インターホン室内機との間を結ぶドアホンラインを監視して前記ドアホンからの呼出信号を検出する呼出検出手段と、前記複数の監視カメラからの映像を選択して切り換えるカメラ切換手段と、前記カメラ切換手段が選択した映像を前記映像装置に出力する映像出力手段と、前記呼出検出手段が検出した呼出信号を送出した前記ドアホンに対応した監視カメラを選択して切り換えて映像を出力する指示を行う制御手段とを有して構成されるカメラ制御ユニットを具備する請求項１記載のカメラコントロール装置。
【請求項３】
複数のドアホンと、前記複数のドアホンに対応する複数の監視カメラと、前記複数のドアホンのいずれか１つと通話するインターホン室内機と、前記複数の監視カメラの映像を映し出す映像装置とを有するカメラコントロール装置であって、前記複数のドアホンからの呼出信号を検出する複数呼出検出手段と、前記複数のドアホンからの通話路と前記複数の監視カメラからの映像を選択して切り換える映像音声切換手段と、前記映像音声切換手段で切り換えた映像を前記映像装置に出力する映像出力手段と、前記映像音声切換手段で切り換えた通話路を前記インターホン室内機と接続する通話路接続手段と、前記複数のドアホンのいずれか１つからの呼出時に前記複数の監視カメラから呼び出したドアホンに対応する監視カメラの映像を前記映像装置に出力し、呼び出したドアホンと前記インターホン室内機との間で通話ができるよう制御する制御手段とを有して構成されるカメラ制御ユニットを具備することを特徴とするカメラコントロール装置。
【請求項４】
複数のドアホンと、前記複数のドアホンに対応する複数の監視カメラと、前記複数のドアホンのいずれか１つと通話すると共に前記複数の監視カメラのいずれか１つの映像を映し出すモニタ室内機とを有するカメラコントロール装置であって、前記複数のドアホンからの呼出信号を検出する複数呼出検出手段と、前記複数のドアホンからの通話路と前記複数の監視カメラからの映像を選択して切り換える映像音声切換手段と、前記映像音声切換手段で切り換えた映像と音声の通話路を前記モニタ室内機に接続する映像通話路接続手段と、前記複数のドアホンのいずれか１つからの呼出時に前記複数の監視カメラから呼び出したドアホンに対応する監視カメラの映像を前記モニタ室内機に出力し、呼び出したドアホンと前記モニタ室内機との間で通話ができるよう制御する制御手段とを有して構成されるカメラ制御ユニットを具備することを特徴とするカメラコントロール装置。
【請求項５】
公衆電話回線に接続され、複数のドアホンと、前記複数のドアホンに対応する複数の監視カメラと、前記複数の監視カメラの映像を映し出す映像装置とを有するカメラコントロール装置であって、前記複数のドアホンからの呼出信号を検出する複数呼出検出手段と、前記複数のドアホンからの通話路と前記複数の監視カメラからの映像を選択して切り換える映像音声切換手段と、前記映像音声切換手段で切り換えた映像を前記映像装置に出力する映像出力手段と、前記映像音声切換手段で切り換えた通話路を前記公衆電話回線と接続する電話回線通話路接続手段と、前記複数のドアホンのいずれか１つからの呼出時に前記複数の監視カメラから呼び出したドアホンに対応する監視カメラの映像を前記映像装置に出力し、呼び出したドアホンと前記公衆電話回線との間で通話ができるよう制御する制御手段とを有して構成されるカメラ制御ユニットを具備することを特徴とするカメラコントロール装置。
【請求項６】
公衆電話回線に接続され、複数のドアホンと、前記複数のドアホンに対応する複数の監視カメラとを有するカメラコントロール装置であって、前記複数のドアホンからの呼出信号を検出する複数呼出検出手段と、前記複数のドアホンからの通話路と前記複数の監視カメラからの映像を選択して切り換える映像音声切換手段と、前記映像音声切換手段で切り換えた映像と音声の通話路を前記公衆電話回線に接続する電話回線映像通話路接続手段と、前記複数のドアホンのいずれか１つからの呼出時に前記複数の監視カメラから呼び出したドアホンに対応する監視カメラの映像を前記公衆電話回線に出力し、呼び出したドアホンと前記公衆電話回線との間で通話ができるよう制御する制御手段とを有して構成されるカメラ制御ユニットを具備することを特徴とするカメラコントロール装置。
【手続補正２】
【補正対象書類名】明細書
【補正対象項目名】０００４
【補正方法】変更
【補正の内容】
【０００４】
そこで、本発明は、上記の点に鑑み、インターホンのドアホンから出力される呼出信号を用い、監視カメラから出力される映像信号とドアホンから出力される音声信号を任意に選択することができるカメラコントロール装置を提供することを目的としている。
【手続補正３】
【補正対象書類名】明細書
【補正対象項目名】０００５
【補正方法】変更
【補正の内容】
【０００５】
【課題を解決するための手段】
本発明によるカメラコントロール装置は、上記目的に鑑み、複数の監視カメラと映像を映し出す映像装置とが接続されるカメラコントロール装置において、ドアホンとインターホン室内機とから構成されるインターホンシステムを接続して、ドアホンからインターホン室内機への呼出時に、ドアホンからの呼出信号を検出して、複数の監視カメラのうちから少なくとも１つの監視カメラを選択して、選択された監視カメラの映像を映像装置に映し出すように構成したものである。
【手続補正４】
【補正対象書類名】明細書
【補正対象項目名】０００７
【補正方法】変更
【補正の内容】
【０００７】
【発明の実施の形態】
請求項１に記載の本発明は、複数の監視カメラと映像を映し出す映像装置とが接続されるカメラコントロール装置において、ドアホンとインターホン室内機とから構成されるインターホンシステムを接続して、前記ドアホンから前記インターホン室内機への呼出時に、前記ドアホンからの呼出信号を検出して、前記複数の監視カメラのうちから少なくとも１つの監視カメラを選択して、選択された監視カメラの映像信号を前記映像装置に出力することを特徴とする。
【手続補正５】
【補正対象書類名】明細書
【補正対象項目名】０００９
【補正方法】変更
【補正の内容】
【０００９】
請求項２に記載された本発明は、請求項１に記載のカメラコントロール装置において、前記ドアホンと前記インターホン室内機との間を結ぶドアホンラインを監視して前記ドアホンからの呼出信号を検出する呼出検出手段と、前記複数の監視カメラからの映像を選択して切り換えるカメラ切換手段と、前記カメラ切換手段が選択した映像を前記映像装置に出力する映像出力手段と、前記呼出検出手段が検出した呼出信号を送出した前記ドアホンに対応した監視カメラを選択して切り換えて映像を出力する指示を行う制御手段とを有して構成されるカメラ制御ユニットを具備するもので、インターホンのドアホンからの呼出に対し、監視カメラが追従して、インターホンシステムのドアホンからの通話と監視カメラからの映像信号を選択することができる。
【手続補正６】
【補正対象書類名】明細書
【補正対象項目名】００１０
【補正方法】変更
【補正の内容】
【００１０】
請求項３に記載された本発明は、複数のドアホンと、前記複数のドアホンに対応する複数の監視カメラと、前記複数のドアホンのいずれか１つと通話するインターホン室内機と、前記複数の監視カメラの映像を映し出す映像装置とを有するカメラコントロール装置であって、前記複数のドアホンからの呼出信号を検出する複数呼出検出手段と、前記複数のドアホンからの通話路と前記複数の監視カメラからの映像を選択して切り換える映像音声切換手段と、前記映像音声切換手段で切り換えた映像を前記映像装置に出力する映像出力手段と、前記映像音声切換手段で切り換えた通話路を前記インターホン室内機と接続する通話路接続手段と、前記複数のドアホンのいずれか１つからの呼出時に前記複数の監視カメラから呼び出したドアホンに対応する監視カメラの映像を前記映像装置に出力し、呼び出したドアホンと前記インターホン室内機との間で通話ができるよう制御する制御手段とを有して構成されるカメラ制御ユニットを具備するもので、インターホンシステムのドアホンからの呼出に対し、このドアホンに対応する監視カメラが追従し、テレビに監視カメラからの映像を映しだして確認しながら、ドアホンとインターホン室内機との通話を行うことができる。
【手続補正７】
【補正対象書類名】明細書
【補正対象項目名】００１１
【補正方法】変更
【補正の内容】
【００１１】
請求項４に記載の本発明は、複数のドアホンと、前記複数のドアホンに対応する複数の監視カメラと、前記複数のドアホンのいずれか１つと通話すると共に前記複数の監視カメラのいずれか１つの映像を映し出すモニタ室内機とを有するカメラコントロール装置であって、前記複数のドアホンからの呼出信号を検出する複数呼出検出手段と、前記複数のドアホンからの通話路と前記複数の監視カメラからの映像を選択して切り換える映像音声切換手段と、前記映像音声切換手段で切り換えた映像と音声の通話路を前記モニタ室内機に接続する映像通話路接続手段と、前記複数のドアホンのいずれか１つからの呼出時に前記複数の監視カメラから呼び出したドアホンに対応する監視カメラの映像を前記モニタ室内機に出力し、呼び出したドアホンと前記モニタ室内機との間で通話ができるよう制御する制御手段とを有して構成されるカメラ制御ユニットを具備するもので、インターホンのドアホンの呼出信号を検出し、このドアホンに対応する監視カメラを選択し、これら監視カメラの映像信号とドアホンの音声信号をテレビドアホンのモニタ室内機に出力させ、これによって、ドアホンからの呼出に対し、これに対応する監視カメラを追従させて、本来別々のインターホンシステムと監視カメラによる監視システムを１つのカメラコントロール装置で結合することができる。
【手続補正８】
【補正対象書類名】明細書
【補正対象項目名】００１２
【補正方法】変更
【補正の内容】
【００１２】
請求項５に記載の本発明は、公衆電話回線に接続され、複数のドアホンと、前記複数のドアホンに対応する複数の監視カメラと、前記複数の監視カメラの映像を映し出す映像装置とを有するカメラコントロール装置であって、前記複数のドアホンからの呼出信号を検出する複数呼出検出手段と、前記複数のドアホンからの通話路と前記複数の監視カメラからの映像を選択して切り換える映像音声切換手段と、前記映像音声切換手段で切り換えた映像を前記映像装置に出力する映像出力手段と、前記映像音声切換手段で切り換えた通話路を前記公衆電話回線と接続する電話回線通話路接続手段と、前記複数のドアホンのいずれか１つからの呼出時に前記複数の監視カメラから呼び出したドアホンに対応する監視カメラの映像を前記映像装置に出力し、呼び出したドアホンと前記公衆電話回線との間で通話ができるよう制御する制御手段とを有して構成されるカメラ制御ユニットを具備するもので、インターホンのドアホンからの呼出に対し、このドアホンに対応する監視カメラが追従し、ドアホンからの音声はリアルタイムで公衆用電話回線例えば電話機或いは携帯電話等で確認できると共に、監視カメラの映像を映像出力手段に接続されたテレビにより確認でき、もしこのテレビにＶＴＲが接続されていれば、監視カメラからの映像を後でも確認することができる。
【手続補正９】
【補正対象書類名】明細書
【補正対象項目名】００１３
【補正方法】変更
【補正の内容】
【００１３】
請求項６に記載された本発明は、公衆電話回線に接続され、複数のドアホンと、前記複数のドアホンに対応する複数の監視カメラとを有するカメラコントロール装置であって、前記複数のドアホンからの呼出信号を検出する複数呼出検出手段と、前記複数のドアホンからの通話路と前記複数の監視カメラからの映像を選択して切り換える映像音声切換手段と、前記映像音声切換手段で切り換えた映像と音声の通話路を前記公衆電話回線に接続する電話回線映像通話路接続手段と、前記複数のドアホンのいずれか１つからの呼出時に前記複数の監視カメラから呼び出したドアホンに対応する監視カメラの映像を前記公衆電話回線に出力し、呼び出したドアホンと前記公衆電話回線との間で通話ができるよう制御する制御手段とを有して構成されるカメラ制御ユニットを具備するもので、インターホンのドアホンからの呼出に対し、このドアホンに対応する監視カメラが追従し、ドアホンからの音声及び監視カメラからの映像はリアルタイムで公衆用電話回線例えばテレビ電話等で確認することができる。